(57)【特許請求の範囲】
【請求項１】
所定の範囲内に入ってきた移動体を検知するセンサと、
撮影用のレンズ及び上記センサの検知信号によって撮影動作をするシャッタとを有するカメラ機構部と、
撮影された映像をデジタル信号として記録する半導体メモリ媒体とを備える監視カメラにおいて、
上記半導体メモリ媒体には、予め２つ以上の順番づけられた事前設定ディレクトリが所定名称で形成され、各事前設定ディレクトリ内のファイルは最高値が定められている追い番方式で名付けられ、上記撮影された映像を上記ファイルとして、順番づけられた事前設定ディレクトリに追い番方式で順番に保存すると共に、最後の事前設定ディレクトリの最後の追い番の後は、元に戻り最初の事前設定ディレクトリの最初の追い番から再度保存するようにすると共に、その際、元のファイルは事前に消去されているようにしたことを特徴とする監視カメラ。
【請求項２】
撮影用のレンズとシャッタを有するカメラ機構部と、上記レンズで撮影した映像をすべてデジタル化するＡＤコンバータと、移動体を検知するセンサの制御に基づく監視モードのときに上記ＡＤコンバータからのデータを圧縮すると共にそのデータを再生するときに伸張する圧縮伸張手段と、上記圧縮されたデータを保存する半導体メモリ媒体と、通常撮影モードのときに上記ＡＤコンバータのデータをそのままアナログデータに変換すると共に上記半導体メモリ媒体に保存されたデータを再生するときにその半導体メモリ媒体内のデータが上記圧縮伸張手段によって伸張されたのち入力されアナログデータに変換するＤＡコンバータと、少なくとも、モードの切り替えに基づく制御や上記ＡＤコンバータ、上記圧縮伸張手段、上記半導体メモリ媒体、上記ＤＡコンバータの制御を行う制御部とを備え、
上記半導体メモリ媒体には、予め２つ以上の順番づけられた事前設定ディレクトリが所定名称で形成され、各事前設定ディレクトリ内のファイルは最高値が定められている追い番方式で名付けられ、上記撮影された映像を上記ファイルとして、順番づけられた事前設定ディレクトリに追い番方式で順番に保存すると共に、最後の事前設定ディレクトリの最後の追い番の後は、元に戻り最初の事前設定ディレクトリの最初の追い番から再度保存するようにすると共に、その際、元のファイルは事前に消去されているようにしたことを特徴とする監視カメラ。
【請求項３】
前記最後の事前設定ディレクトリの最後の追い番の後に、元に戻り最初の事前設定ディレクトリの最初の追い番から再度保存する際、元の事前設定ディレクトリは、前記最後の事前設定ディレクトリの最後の追い番で前記ファイルが保存される直前もしくは直後に、当該元の事前設定ディレクトリ内に保存されたファイルと共に消去され、かつこの元の事前設定ディレクトリと同じ所定名称で新たに新規ディレクトリを形成し、この新規ディレクトリを前記元の事前設定ディレクトリとして使用することを特徴とする請求項１または２記載の監視カメラ。
【請求項４】
前記半導体メモリ媒体の残存容量が、前記事前設定ディレクトリ内において許される全ての追い番が付けられる前に零となるときには、容量が零となる直前に保存されたファイルの追い番にさらに１つプラスした追い番のファイルによって保存すると共に、その保存を行う前にそのファイルの保存容量に相当する記録領域を確保するため、保存されている前記映像のうち少なくとも最も古い時刻に形成された当該事前設定ディレクトリ内であってかつその中の最も古い時刻に名付けられた追い番を有するファイルを消去することを特徴とする請求項１または２記載の監視用カメラ。
【請求項５】
監視カメラで撮影された映像をデジタル信号として記録する半導体メモリ媒体内のファイル管理方法において、上記半導体メモリ媒体内に、予め２つ以上の順番づけられた事前設定ディレクトリを所定名称で形成しておき、各事前設定ディレクトリ内に保存されるファイルは、最高値が定められている追い番方式で名付けられるものとし、かつ上記撮影された映像を上記ファイルとして、順番づけられた事前設定ディレクトリに追い番方式で順番に保存すると共に、最後の事前設定ディレクトリの最後の追い番の後は、元に戻り最初の事前設定ディレクトリの最初の追い番から再度保存するようにすると共に、その際、元のファイルは事前に消去しておくようにしたことを特徴とする半導体メモリ媒体内のファイル管理方法。
【請求項６】
前記最後の事前設定ディレクトリの最後の追い番の後に、元に戻り最初の事前設定ディレクトリの最初の追い番から再度保存する際、元の事前設定ディレクトリは、前記最後の事前設定ディレクトリの最後の追い番で前記ファイルが保存される直前もしくは直後に、当該元の事前設定ディレクトリ内に保存されたファイルと共に消去され、かつこの元の事前設定ディレクトリと同じ所定名称で新たに新規ディレクトリを形成し、この新規ディレクトリを前記元の事前設定ディレクトリとして使用することを特徴とする請求項５記載の半導体メモリ媒体内のファイル管理方法。
【請求項７】
当該半導体メモリ媒体の残存容量が、前記事前設定ディレクトリ内において許される全ての追い番が付けられる前に零となる場合、容量が零となる直前に保存されたファイルの追い番にさらに１つプラスした追い番のファイルによって保存すると共に、その保存を行う前にそのファイルの保存容量に相当する記録領域を確保するため、保存されている前記映像のうち少なくとも最も古い時刻に形成された事前設定ディレクトリ内であってかつその中の最も古い時刻に名付けられた追い番を有するファイルを消去することを特徴とする請求項５記載の半導体メモリ媒体内のファイル管理方法。
【請求項８】
監視カメラで撮影された映像をデジタル信号として半導体メモリ媒体に記録するためのプログラムにおいて、上記半導体メモリ媒体内に予め２つ以上の順番づけられた事前設定ディレクトリを所定名称で形成する機能と、各事前設定ディレクトリ内のファイルを最高値が定められた追い番方式で名付ける機能と、上記映像を上記ファイルとして、順番づけられた事前設定ディレクトリに追い番方式で順番に保存する機能と、最後の事前設定ディレクトリの最後の追い番の後に、元に戻り最初の事前設定ディレクトリの最初の追い番から再度ファイルを保存する機能と、その際、元のファイルを事前に消去しておく機能と、を実現させることを特徴とする追い番方式を利用して半導体メモリ媒体へ記録するためのプログラム。
【請求項９】
前記最後の事前設定ディレクトリの最後の追い番の後に、元に戻り最初の事前設定ディレクトリの最初の追い番から再度ファイルを保存する際、元の事前設定ディレクトリを、前記最後の事前設定ディレクトリの最後の追い番で前記ファイルを保存する直前もしくは直後に、当該元の事前設定ディレクトリ内に保存されたファイルと共に消去し、かつこの元の事前設定ディレクトリと同じ所定名称で新たに新規ディレクトリを形成し、この新規ディレクトリを前記元の事前設定ディレクトリとして使用させるようにすることを特徴とする請求項８記載の追い番方式を利用して半導体メモリ媒体へ記録するためのプログラム。
【請求項１０】
前記半導体メモリ媒体の残存容量が、前記事前設定ディレクトリ内において許される全ての追い番が付けられる前に零となる場合、容量が零となる直前に保存されたファイルの追い番にさらに１つプラスした追い番のファイルによって保存すると共に、その保存を行う前にそのファイルの保存容量に相当する記録領域を確保するため、保存されている前記映像のうち少なくとも最も古い時刻に形成された事前設定ディレクトリ内であってかつその中の最も古い時刻に名付けられた追い番を有するファイルを消去することを特徴とする請求項８記載の追い番方式を利用して半導体メモリ媒体へ記録するためのプログラム。
【発明の詳細な説明】
【０００１】
【発明の属する技術分野】
本発明は、不審者等の移動体を撮影できる監視カメラならびに半導体メモリ媒体内のファイル管理方法及び追い番方式を利用して半導体メモリ媒体へ記録するためのプログラムに関する。
【０００２】
【従来の技術】
従来から、銀行、コンビニエンスストア等においては、強盗への対策として監視カメラを配置している。従来の監視カメラは、一定時間間隔でシャッタを切る方式を採用したり、連続的に撮影する方式を採用したりしている。また、撮影画像の保存手段として、ビデオフィルムを利用している場合が多い。
【０００３】
【発明が解決しようとする課題】
従来の一定時間間隔でシャッタを切る方式の場合、人の動きに関係なく一定間隔での撮影となるため、撮影枚数が多くなり、コストがかさむこととなる。しかも設定した時間間隔が長いと、肝心の強盗の映像が１〜２枚しか撮影されていなかったというような問題が生じる。
【０００４】
また、従来の連続的に撮影する方式の場合、ビデオテープ等の記録媒体が数時間毎に上書きされるため、事件発生後、半日以上も経ってから映像を確認しようとしたときには、肝心な場面の状況を写す画像が上書きされていて残っていなかったというような問題が生ずる。
【０００５】
なお、撮影用のカメラとしてデジタルカメラを利用することも考えられる。しかし、デジタルカメラによって撮影されたデジタル画像に関しては、既存の画像ファイルに自動的に新しい画像が自動的に上書きされる構成とはなっていない。すなわち、半導体メモリ媒体の残容量が無い場合、撮影者等のファイル管理者が新しく撮影した画像を保存するために、予め撮影された画像を保存するスペースを半導体メモリ媒体内に確保しておく（画像データの一部を消去しておきスペースを確保する）必要がある。
【０００６】
通常は、「容量がないため、保存できない」等の警告がなされ、その警告に従って既存のファイルを削除するかあるいは既存のファイル上に新しい画像ファイルを上書きすることとなる。しかし、夜間等、作業者のいない状況での自動運転も一使用形態となる監視カメラにおいては、自動的にデータの上書き更新がなされない構成のため、その用途に適しないという問題がある。また、十分な容量がある場合は、ディレクトリが次から次へと生成されていき、管理が困難になる。
【０００７】
また、従来のビデオ方式の場合、装置として構造が複雑となり、また大型化している。また、監視カメラの撮影機構が、一定間隔や連続的に動作し続けているため、短期間で機械寿命がきてしまうこととなる。
【０００８】
本発明は、上述の問題点を解決するためになされたものであり、撮影対象となる移動体を確実に撮影できると共に不必要な画像を撮影せず長期間の連続監視を可能とし、かつ新しい映像を自動的にかつ確実に保存できると共にディレクトリの管理が容易な監視カメラおよび半導体メモリ媒体内のファイル管理方法及び追い番方式を利用して半導体メモリ媒体に記録するためのプログラムを提供することを目的とする。
【０００９】
【課題を解決するための手段】
上述の目的を達成するため、本発明の監視カメラは、所定の範囲内に入ってきた移動体を検知するセンサと、撮影用のレンズ及びセンサの検知信号によって撮影動作をするシャッタとを有するカメラ機構部と、撮影された映像をデジタル信号として記録する半導体メモリ媒体とを備える監視カメラにおいて、半導体メモリ媒体には、予め２つ以上の順番づけられた事前設定ディレクトリが所定名称で形成され、各事前設定ディレクトリ内のファイルは最高値が定められている追い番方式で名付けられ、撮影された映像をファイルとして、順番づけられた事前設定ディレクトリに追い番方式で順番に保存すると共に、最後の事前設定ディレクトリの最後の追い番の後は、元に戻り最初の事前設定ディレクトリの最初の追い番から再度保存するようにすると共に、その際、元のファイルは事前に消去されているようにしている。
【００１０】
この監視カメラでは、所定の範囲内に入ってきた移動体、すなわち撮影対象を確実に撮影できる。また、センサの検知信号に基づいて撮影がなされるので、商品等の動かない固定物のみが写っている場合は、撮影は行われない。このため、不必要な画像は撮影されないこととなり、記録媒体（本発明では、半導体メモリ媒体）の取り替え作業の頻度を少なくすることができ、長期間の連続監視が可能となる。加えて、この監視カメラでは、半導体メモリ媒体を記録媒体として用いるため、構造が簡単でかつ小型化される。
【００１１】
また、この監視カメラによれば、無駄な撮影が大幅に減少するため、既存の画像が上書きされない期間を長期間とすることができ、画像有効保存期間を長くすることができる。さらに、撮影された画像の記録媒体となる半導体メモリ媒体の事前設定ディレクトリに保存される画像は、追い番形式でファイルされていくこととなるため、自動的に画像の新旧の順序付けがなされる。しかも、追い番が最後となる前に元のファイルが消されることとなるため、誤って比較的新しい画像のファイルが消去されてしまうことが防止される。さらに、各ファイルが保存された順序に従って番号付けされるので、ファイルの管理がすっきりする。
【００１２】
また、他の発明は、撮影用のレンズとシャッタを有するカメラ機構部と、レンズで撮影した映像をすべてデジタル化するＡＤコンバータと、移動体を検知するセンサの制御に基づく監視モードのときにＡＤコンバータからのデータを圧縮すると共にそのデータを再生するときに伸張する圧縮伸張手段と、圧縮されたデータを保存する半導体メモリ媒体と、通常撮影モードのときにＡＤコンバータのデータをそのままアナログデータに変換すると共に半導体メモリ媒体に保存されたデータを再生するときにその半導体メモリ媒体内のデータが圧縮伸張手段によって伸張されたのち入力されアナログデータに変換するＤＡコンバータと、少なくとも、モードの切り替えに基づく制御やＡＤコンバータ、圧縮伸張手段、半導体メモリ媒体、ＤＡコンバータの制御を行う制御部とを備え、半導体メモリ媒体には、予め２つ以上の順番づけられた事前設定ディレクトリが所定名称で形成され、各事前設定ディレクトリ内のファイルは最高値が定められている追い番方式で名付けられ、撮影された映像をファイルとして、順番づけられた事前設定ディレクトリに追い番方式で順番に保存すると共に、最後の事前設定ディレクトリの最後の追い番の後は、元に戻り最初の事前設定ディレクトリの最初の追い番から再度保存するようにすると共に、その際、元のファイルは事前に消去されているようにしている。
【００１３】
この監視カメラでは、上述した発明と同様、追い番形式を利用したファイル管理がなされるため、誤って比較的新しい画像のファイルが消去されてしまうことが防止される。しかも、各ファイルが保存された順序に従って番号付けされるので、ファイルの管理がすっきりする。加えて、ＴＶモニター等の外部機器への画像の出力が一つで済むため、構造が一層単純なものとなる。
【００１４】
また、他の発明は、上述した各監視カメラに加えて、最後の事前設定ディレクトリの最後の追い番の後に、元に戻り最初の事前設定ディレクトリの最初の追い番から再度保存する際、元の事前設定ディレクトリは、最後の事前設定ディレクトリの最後の追い番でファイルが保存される直前もしくは直後に、当該元の事前設定ディレクトリ内に保存されたファイルと共に消去され、かつこの元の事前設定ディレクトリと同じ所定名称で新たに新規ディレクトリを形成し、この新規ディレクトリを元の事前設定ディレクトリとして使用している。
【００１５】
このように、上述の発明では、２つ以上の各事前設定ディレクトリに、撮影された画像が追い番方式で保存され、最終のファイル保存と共に空の状態で用意された新規ディレクトリへの保存が始まるようになっている。したがって、特に、作業者（オペレーター）がいなくても、半導体メモリ媒体の残容量が零となって新たな映像を保存出来ないという不具合は発生しない。しかも、各ファイルが保存された順序に従って番号付けされるので、ファイルの管理がすっきりする。
【００１６】
また、他の発明は、上述した各監視カメラに加えて、半導体メモリ媒体の残存容量が、事前設定ディレクトリ内において許される全ての追い番が付けられる前に零となるときには、容量が零となる直前に保存されたファイルの追い番にさらに１つプラスした追い番のファイルによって保存すると共に、その保存を行う前にそのファイルの保存容量に相当する記録領域を確保するため、保存されている映像のうち少なくとも最も古い時刻に形成された当該事前設定ディレクトリ内であってかつその中の最も古い時刻に名付けられた追い番を有するファイルを消去するものとなっている。
【００１７】
このように、上述の発明では、２つ以上の各事前設定ディレクトリに撮影された画像が追い番方式で保存され、最終のファイル保存の前に最古の事前設定ディレクトリ内のさらに最後のファイルを消去することにより保存スペースを確保するようにしている。したがって、特に、作業者（オペレーター）がいなくても、半導体メモリ媒体の残容量が零となって新たな映像を保存出来ないという不具合は発生しない。しかも、各ファイルが保存された順序に従って番号付けされるので、ファイルの管理がすっきりする。
【００１８】
また、本発明の半導体メモリ媒体内のファイル管理方法は、監視カメラで撮影された映像をデジタル信号として記録する半導体メモリ媒体内のファイル管理方法において、半導体メモリ媒体内に、予め２つ以上の順番づけられた事前設定ディレクトリを所定名称で形成しておき、各事前設定ディレクトリ内に保存されるファイルは、最高値が定められている追い番方式で名付けられるものとし、かつ撮影された映像をファイルとして、順番づけられた事前設定ディレクトリに追い番方式で順番に保存すると共に、最後の事前設定ディレクトリの最後の追い番の後は、元に戻り最初の事前設定ディレクトリの最初の追い番から再度保存するようにすると共に、その際、元のファイルは事前に消去しておくようにしている。
【００１９】
このため、撮影された画像の記録媒体となる半導体メモリ媒体の事前設定ディレクトリに保存される画像は、追い番形式でファイルされていくこととなり、自動的に画像の新旧の順序付けがなされ、追い番が最後となる前に元のファイルが消されることとなるため、誤って比較的新しい画像のファイルが消去されてしまうことが防止される。しかも、各ファイルが保存された順序に従って番号付けされるので、ファイルの管理がすっきりする。
【００２０】
また、他の発明は、上述の半導体メモリ媒体内のファイル管理方法において、最後の事前設定ディレクトリの最後の追い番の後に、元に戻り最初の事前設定ディレクトリの最初の追い番から再度保存する際、元の事前設定ディレクトリは、最後の事前設定ディレクトリの最後の追い番でファイルが保存される直前もしくは直後に、当該元の事前設定ディレクトリ内に保存されたファイルと共に消去され、かつこの元の事前設定ディレクトリと同じ所定名称で新たに新規ディレクトリを形成し、この新規ディレクトリを元の事前設定ディレクトリとして使用するようになっている。
【００２１】
このように、２つ以上の各事前設定ディレクトリに撮影された画像が追い番方式で保存され、最終のファイル保存と共に空の状態で用意された新規ディレクトリへの保存が始まるようになっているため、特に、作業者（オペレーター）がいなくても、半導体メモリ媒体の残容量が零となって新たな映像を保存出来ないという不具合は発生しない。しかも、各ファイルが保存された順序に従って番号付けされるので、ファイルの管理がすっきりする。
【００２２】
また、他の発明は、上述の半導体メモリ媒体内のファイル管理方法において、当該半導体メモリ媒体の残存容量が、事前設定ディレクトリ内において許される全ての追い番が付けられる前に零となる場合、容量が零となる直前に保存されたファイルの追い番にさらに１つプラスした追い番のファイルによって保存すると共に、その保存を行う前にそのファイルの保存容量に相当する記録領域を確保するため、保存されている前記映像のうち少なくとも最も古い時刻に形成された事前設定ディレクトリ内であってかつその中の最も古い時刻に名付けられた追い番を有するファイルを消去するようにしている。
【００２３】
このように、２つ以上の各事前設定ディレクトリに撮影された画像が追い番方式で保存され、最終のファイル保存の前に最古のディレクトリ内のさらに最後のファイルを消去することにより保存スペースを確保するようにしているため、特に、作業者（オペレーター）がいなくても、半導体メモリ媒体の残容量が零となって新たな映像を保存出来ないという不具合は発生しない。しかも、各ファイルが保存された順序に従って番号付けされるので、ファイルの管理がすっきりする。
【００２４】
また、本発明の追い番方式を利用して半導体メモリ媒体へ記録するためのプログラムは、監視カメラで撮影された映像をデジタル信号として半導体メモリ媒体に記録するためのプログラムにおいて、半導体メモリ媒体内に予め２つ以上の順番づけられた事前設定ディレクトリを所定名称で形成する機能と、各事前設定ディレクトリ内のファイルを最高値が定められた追い番方式で名付ける機能と、映像をファイルとして、順番づけられた事前設定ディレクトリに追い番方式で順番に保存する機能と、最後の事前設定ディレクトリの最後の追い番の後に、元に戻り最初の事前設定ディレクトリの最初の追い番から再度ファイルを保存する機能と、その際、元のファイルを事前に消去しておく機能と、を実現させるものとなっている。
【００２５】
このため、上述のプログラムでは、半導体メモリ媒体内の事前設定ディレクトリに保存される映像は、追い番形式でファイルされていくこととなり、自動的に画像の新旧の順序付けがなされ、追い番が最後となる前に元のファイルが消されることとなる。したがって、監視カメラが撮影した映像を記録する場合、誤って比較的新しい画像のファイルが消去されてしまうことが防止される。しかも、各ファイルが保存された順序に従って番号付けされるので、ファイルの管理がすっきりする。
【００２６】
また、他の発明は、上述の追い番方式を利用して半導体メモリ媒体へ記録するためのプログラムにおいて、最後の事前設定ディレクトリの最後の追い番の後に、元に戻り最初の事前設定ディレクトリの最初の追い番から再度ファイルを保存する際、元の事前設定ディレクトリを、最後の事前設定ディレクトリの最後の追い番でファイルを保存する直前もしくは直後に、当該元の事前設定ディレクトリ内に保存されたファイルと共に消去し、かつこの元の事前設定ディレクトリと同じ所定名称で新たに新規ディレクトリを形成し、この新規ディレクトリを元の事前設定ディレクトリとして使用させるようにするようになっている。
【００２７】
このように、上述のプログラムでは、２つ以上の各事前設定ディレクトリに撮影された画像が追い番方式で保存され、最終のファイル保存と共に空の状態で用意された新規ディレクトリへの保存が始まるようになっている。したがって、監視カメラが撮影した映像を記録する場合、特に、作業者（オペレーター）がいなくても、半導体メモリ媒体の残容量が零となって新たな映像を保存出来ないという不具合は発生しない。しかも、各ファイルが保存された順序に従って番号付けされるので、ファイルの管理がすっきりする。
【００２８】
また、他の発明は、上述の追い番方式を利用して半導体メモリ媒体へ記録するためのプログラムにおいて、半導体メモリ媒体の残存容量が、事前設定ディレクトリ内において許される全ての追い番が付けられる前に零となる場合、容量が零となる直前に保存されたファイルの追い番にさらに１つプラスした追い番のファイルによって保存すると共に、その保存を行う前にそのファイルの保存容量に相当する記録領域を確保するため、保存されている映像のうち少なくとも最も古い時刻に形成された事前設定ディレクトリ内であってかつその中の最も古い時刻に名付けられた追い番を有するファイルを消去するようになっている。
【００２９】
このように、上述のプログラムでは、２つ以上の各事前設定ディレクトリに撮影された画像が追い番方式で保存され、最終のファイル保存の前に最古の事前設定ディレクトリ内のさらに最後のファイルを消去することにより保存スペースを確保するようにしている。したがって、監視カメラが撮影した映像を記録する場合、特に、作業者（オペレーター）がいなくても、半導体メモリ媒体の残容量が零となって新たな映像を保存出来ないという不具合は発生しない。しかも、各ファイルが保存された順序に従って番号付けされるので、ファイルの管理がすっきりする。
【００３０】
【発明の実施の形態】
以下、本発明の実施の形態に係る監視カメラについて、図面を参照しながら説明する。なお、まず、図１から図５に基づいて、本実施の形態に係る監視カメラの構造について説明することとする。
【００３１】
図１および図２に示すように、監視カメラ１０は、カメラ部１と、半導体メモリ媒体２を内部に有するコンピュータで構成された本体部３と、ドア付近に取り付けられるプッシュホン４と、カメラ部１で撮影した映像を映し出すモニタとなるテレビジョン（以下ＴＶと略す）５とから主に構成される。なお、本体部３は電源供給手段となるコンセント６に接続されている。
【００３２】
カメラ部１は、センサ部８と、ＣＣＤカメラからなるカメラ機構部９とを有する。センサ部８は、所定の範囲内に入ってきた移動体となる来訪者や侵入者を検知するセンサ１１を備えている。カメラ機構部９は、このセンサ１１の検知範囲を含み、その範囲を超える画角を有する撮影用のレンズ１２を有するレンズ部１３と、センサ１１の検知信号によって撮影動作するシャッタ（図示省略）とを備えている。
【００３３】
カメラ部１は、本実施の形態では、ドアの上部に取り付けられセンサ１１の前面とレンズ１２の前面とが共にドアに対面する来訪者に向かうように設置される。カメラ部１は、本体部３にコードなどの接続手段によって電気的に接続される。カメラ機構部９の撮像部（図示省略）は、１００万画素のＣＣＤからなる電荷結合素子で構成されており、５ｍ程度離れた移動体、たとえば人物の顔が認識できるものとなっている。
【００３４】
カメラ部１の構成をさらに詳述する。図３に示すように、カメラ機構部９の周囲には、ヒータ５１と温度センサ５２が配置されている。各ヒータ５１は、抵抗５３に電流を流すことで抵抗５３に熱を発生させる構成としたもので、左右の側面に１個ずつ配置されている。温度センサ５２は、本実施の形態では、サーミスタが採用されている。
【００３５】
本実施の形態におけるカメラ機構部９は、直方体状の枠体部５４の前方面にレンズ部１３が突出する形で形成されている。そして、カメラ機構部９の左右の側面に接するように抵抗５３，５３が配置されている。このカメラ機構部９の後方部にはＣＣＤ等の電気部が配置されており、動作時にかなりの熱を発するものとなっている。
【００３６】
ヒータ５１の一部となる抵抗５３の一端は、トランジスタ５５を介して電源（ＶＣＣ）に接続され、他端はアースされている。トランジスタ５５は、制御部２４によって動作するトランジスタ５６でオンオフ制御される。温度センサ５２は、所定温度以下になったことを検知すると、その検知信号を後述する制御部２４へ伝える。制御部２４は、温度センサ５２からの信号に基づいてトランジスタ５６をオンオフ制御する。
【００３７】
なお、本実施の形態では、このカメラ機構部９の温度仕様が−１０℃〜４０℃とされており、その仕様を−２０℃まで広げるためにヒータ５１、温度センサ５２が設置されている。この値は、他のもの、たとえば−２０℃までの仕様を−４０℃まで広げたり、０℃までの仕様を−３０℃まで広げるものとしたり、他の種々の値を採用することができる。また、左右側方面にヒータ５１が１個ずつ配置されているが、左右側方面にそれぞれ２つずつ（または３つ以上）のヒータ５１を配置するようにしても良い。さらに、温度センサ５２を上面と下面の両者に配置したり、下面側のみに配置するようにしても良い。
【００３８】
半導体メモリ媒体２は、本実施の形態では、コンパクトフラッシュ型のメモリカードで、容量が１６メガバイトとなっている。カラー画像の場合、５００枚の静止画を記録できる。半導体メモリ媒体２は、本体部３に対して抜き差し可能で、その記録内容はパーソナルコンピュータでも再生可能となっている。なお、この半導体メモリ媒体２の内部のディレクトリ構造に関しては、後で詳述する。
【００３９】
本体部３には、半導体メモリ媒体２の他に、カメラ機構部９で撮影したアナログ映像をデジタル化するＡＤコンバータ２１と、ＡＤコンバータ２１でデジタル化された撮像データを後述する監視モード時に圧縮し半導体メモリ媒体２に保存すると共に半導体メモリ媒体２に保存されたデータを取り出し伸張する圧縮伸張手段２２と、この圧縮伸張手段２２で伸張されたデジタルデータをテレビ画像の１つの規格であるＮＴＳＣ規格のアナログデータに変換するＤＡコンバータ２３と、カメラ部１や本体部３内の各部を制御する制御部２４とが配置されている。
【００４０】
本体部３には、さらに、制御部２４のモードを上述した監視モードと、通常撮影モードと、後述する再生モードとに切り替えるモード切替スイッチ２５と、通常撮影モードの際にＡＤコンバータ２１でデジタル化されたデータを圧縮せずにそのままＤＡコンバータ２３でアナログ化するためのスルー通路を形成するためのスルースイッチ２６とが設けられている。
【００４１】
本実施の形態では、センサ１１は、カメラ部１に内蔵されており、レンズ部１３のわずか下側に配置されている。センサ１１は、アンプ内蔵タイプで人体等の動物から発せられる赤外線を検出するものとしている。このセンサ１１は、周囲と温度差のある人体等が動く際に生ずる赤外線の変化を検出するもので、たとえば座っている人のわずかな動きさえも検出するものである。
【００４２】
センサ１１の検知範囲角度αは、本実施の形態では、図４に示すように、レンズ１２の画角β内に納まるようにし、かつ検知範囲角度αを２０度とし、画角βを９０度としている。レンズ１２を魚眼レンズとする場合は、画角βは１５０〜２００度程度となる。なお、図４は、上方から見た平面図であるため、センサ１１とレンズ１２の位置を同一な場所として示しているが、側方から見た場合には、両者の位置はわずかに上下にずれることとなる。上下方向においても、αとβの関係は、図４に示すような関係となっている。
【００４３】
センサ１１は、検知範囲角度α内に周囲と温度差のある動く物（者）（＝移動体）が入ってくるとそれを検知し、オンする。そのオン信号が検知信号であり、この検知信号によってシャッタが開き１枚の映像を撮る。そして、その動く物（者）が検知範囲角度α内で動き続けると、その状態を検知し続け、カメラ部１は所定時間間隔で映像を撮り続ける。このセンサ１１の監視距離（検知距離）は５ｍ程度とされている。この監視距離は、センサ１１の種類を変えることで、２〜１５ｍの範囲で変更できる。
【００４４】
検知範囲角度α内に入ってきた物（者）がその動きを停止すると、センサ１１はオフし、撮影は中断する。再度、その物（者）が動きを開始すると、センサ１１は再びオンし、そのオン時点で再度１枚の映像を撮る。その後、上述と同様に、その物（者）が検知範囲角度α内で動き続ける限り所定時間間隔で映像を撮り続ける。その物（者）が検知範囲角度αから外れると、センサ１１はオフする。
【００４５】
センサ１１の所定範囲となる検知範囲角度αとレンズ１２の画角βの関係は、β／１．５≧α≧β／６とするのが好ましい。検知範囲角度αを画角βに対し一定以上小さくすると、撮影された画像が手や足のみで顔等を含めた全体が写っていないという現象が生じにくくなる。一方、検知範囲角度αを画角βに対し所定以上とすることで、写すチャンスが多くなり欲しい映像が撮影できないという不具合が生じにくくなる。
【００４６】
本実施の形態では、上述の所定時間間隔としては、１秒を採用している。この値は、０．３〜１０秒とするのが好ましい。また、所定の操作手段で、この間隔を連続的に変更できるようにしても良い。なお、０．３秒以上とすると、撮影コマの節約を図ることができ、１０秒以下とすると、不審者に関しては２枚以上の撮影の可能性を高くすることができるためである。また、本実施の形態では、検知範囲角度αを１５度、２０度、３０度、４０度、５０度、６０度の６段階に切り替えることができる操作手段（図示省略）を本体部３の外側に配置している。
【００４７】
制御部２４は、中央演算装置（ＣＰＵ）からなり、その内部にタイマを有している。このタイマによって、昼間の撮影方法と、夜間の撮影方法とを切り替えるようにしている。本実施の形態では、昼間は、移動体となる来訪者が検知範囲角度α内に入ってきたときのみシャッタを動作させるようにし、夜間は、移動体となる来訪者が検知範囲角度α内に入ってきた場合に加え、来訪者が動いている限り上述した所定時間間隔でのシャッタ動作（撮影動作）を行わせている。
【００４８】
次に、上述の半導体メモリ媒体２内に予め用意された事前設定ディレクトリおよびこの事前設定ディレクトリを利用して半導体メモリ媒体２内へファイルを記録するためのプログラムに関して説明する。
【００４９】
上述した本体部３内には、監視カメラ１０で撮影された映像をデジタル信号として半導体メモリ媒体２内に記録するためのプログラム２７が備えられている。このプログラム２７は、制御部２４によって起動されると共に、駆動制御される。
【００５０】
プログラム２７は、半導体メモリ媒体２内に、監視カメラ１０で撮影された映像を順序よく記録するため、すなわち半導体メモリ媒体２内のファイル管理を行うために、予め２つ以上の順番付けられた事前設定ディレクトリをそれぞれ所定名称で形成する機能を実現させるものとなっている。
【００５１】
また、このプログラム２７は、各事前設定ディレクトリ内のファイルを最高値が定められた追い番方式で名付ける機能を実現させるものとなっている。さらに、このプログラム２７は、監視カメラ１０で撮影された映像をファイルとして、順番付けられた事前設定ディレクトリに追い番形式で順番に保存する機能を実現させるものとなっている。また、プログラム２７は、最後の事前設定ディレクトリの最後の追い番の後に、元に戻り最初の事前設定ディレクトリの最初の追い番から再度ファイルを保存していく機能と、その際に元のファイルを事前に消去しておく機能とを実現させるものとなっている。そして、これらの各機能を実現させるプログラム２７により、半導体メモリ媒体２内は、以下に説明するようにファイル管理される。
【００５２】
図５に示すように、半導体メモリ媒体２内には、カメラ部１で撮影された映像をファイルとして保存するための事前設定ディレクトリＡ，Ｂ，Ｃが、予め用意されている。また、これら３つの事前設定ディレクトリＡ，Ｂ，Ｃの上位ディレクトリとして「監視カメラ映像」という名称のディレクトリが設けられている。この「監視カメラ映像」という名称のディレクトリは、監視カメラ１０から送られてくる映像のみを保存するためのディレクトリという位置づけとなる。なお、本実施の形態では、「監視カメラ映像」の下位に３つの事前設定ディレクトリＡ，Ｂ，Ｃを備えているが、事前設定ディレクトリは２つでも、あるいは４つ以上でも良い。
【００５３】
これらの事前設定ディレクトリＡ，Ｂ，Ｃには、順番付けがなされている。すなわち、本実施の形態では、Ａ，Ｂ，Ｃという順番付けがなされ、撮影された映像は、まず事前設定ディレクトリＡに保存される。
【００５４】
そして、事前設定ディレクトリＡへの順次のファイル保存が終了すると次の映像のファイルは事前設定ディレクトリＢへ、事前設定ディレクトリＢへの順次のファイル保存が終了すると次の映像のファイルは事前設定ディレクトリＣへと順次保存され、最後の事前設定ディレクトリＣへの順次のファイル保存が終了すると次の映像の保存は、元に戻って最初の事前設定ディレクトリＡへなされる。なお、このとき、最初の事前設定ディレクトリＡ内には、新しい映像を保存するスペースが既に確保されている。これに関しては、後述する。
【００５５】
なお、各事前設定ディレクトリＡ，Ｂ，Ｃ内に保存されるファイルは、最高値が定められている追い番形式でファイル名が付されることとなる。各事前設定ディレクトリＡ，Ｂ，Ｃは、順次保存されていった追い番形式のファイル名が最高値となると、撮影した映像のファイルをこれ以上当該ディレクトリに保存せず、次の事前設定ディレクトリに保存することとなる。なお、この実施の形態では、カラー画像を多数（数千枚）保存するには不十分な容量の半導体メモリ２となっているが、説明上は十分な容量がある場合についても触れる。
【００５６】
本実施の形態では、最初に撮影され保存されるデータファイルには「ｋａｎｓｈｉｇａｚｏｕ０００１．ｊｐｇ」というファイル名が付され、最初の事前設定ディレクトリＡに保存される。そして、次に保存されるデータファイルは、追い番形式における「ｋａｎｓｈｉｇａｚｏｕ０００１．ｊｐｇ」に１つプラスした次のファイル名となる「ｋａｎｓｈｉｇａｚｏｕ０００２．ｊｐｇ」のファイル名が付されて、同じ事前設定ディレクトリＡに保存される。このように、順次追い番形式で保存され、最高値となる「ｋａｎｓｈｉｇａｚｏｕ９９９９．ｊｐｇ」と名付けられたファイルが事前設定ディレクトリＡに保存されると、次の映像のファイルは事前設定ディレクトリＡの次のディレクトリとなる事前設定ディレクトリＢに保存される。
【００５７】
事前設定ディレクトリＢも同様に、「ｋａｎｓｈｉｇａｚｏｕ０００１．ｊｐｇ」から「ｋａｎｓｈｉｇａｚｏｕ９９９９．ｊｐｇ」までファイルが保存される。その後、事前設定ディレクトリＣにも同様のファイルが保存されていく。そして、事前設定ディレクトリＣのファイル名が「ｋａｎｓｈｉｇａｚｏｕ９９９９．ｊｐｇ」となった後の映像ファイルは、事前設定ディレクトリＡに保存される。その際、事前設定ディレクトリＡがその内部のファイルと共に消去され、その後すぐに新たな事前設定ディレクトリＡが作成される。すなわち、最新の映像ファイルは新たに作成された事前設定ディレクトリＡに保存される。この新たな事前設定ディレクトリＡが満杯になると事前設定ディレクトリＢが消去されすぐに新たな事前設定ディレクトリＢが作成される。このようにして順次最新のファイルが保存されていく。
【００５８】
なお、半導体メモリ媒体２の容量が事前設定ディレクトリＡの９９９９個分のファイル容量とさらに５５５５個分のファイル容量の合計分しかない場合については、次のように動作する。
【００５９】
事前設定ディレクトリＡに９９９９個のファイルが保存された後、事前設定ディレクトリＢに最初に保存されるファイルには、「ｋａｎｓｈｉｇａｚｏｕ０００１．ｊｐｇ」というファイル名が付される。すなわち、ファイル名は元に戻る。なお、この事前設定ディレクトリＢが、最初から追い番で５５５５番目のファイルとなる「ｋａｎｓｈｉｇａｚｏｕ５５５５．ｊｐｇ」を保存した際に、半導体メモリ媒体２の残存容量が零になった場合、次の映像のファイルを保存するための記録領域を確保するために、保存されている映像のうち少なくとも最も古い時刻に形成された事前設定ディレクトリ内であってかつその中の最も古い時刻に名付けられた追い番を有するファイルを消去する。この例の場合、具体的には、事前設定ディレクトリＡ内に保存されているファイル「ｋａｎｓｈｉｇａｚｏｕ０００１．ｊｐｇ」が消去される。
【００６０】
これによって、事前設定ディレクトリＢに保存されたファイル「ｋａｎｓｈｉｇａｚｏｕ５５５５．ｊｐｇ」の次に撮影された映像を、追い番における次のファイル「ｋａｎｓｈｉｇａｚｏｕ５５５６．ｊｐｇ」として保存するスペースが半導体メモリ媒体２内に生成される。この結果、撮影された映像の電子データは、ファイル名「ｋａｎｓｈｉｇａｚｏｕ５５５６．ｊｐｇ」として、事前設定ディレクトリＢに保存される。
【００６１】
この後、同様にして、次に撮影された映像のファイルは、ファイル名「ｋａｎｓｈｉｇａｚｏｕ５５５７．ｊｐｇ」として、事前設定ディレクトリＢに保存され、続いて撮影された映像のファイルは、ファイル名「ｋａｎｓｈｉｇａｚｏｕ５５５８．ｊｐｇ」として、事前設定ディレクトリＢに保存される。また、同様に、ファイル名「ｋａｎｓｈｉｇａｚｏｕ５５５７．ｊｐｇ」となる映像を撮影する前に、その時点で最も古い事前設定ディレクトリＡ内の最も古いファイル「ｋａｎｓｈｉｇａｚｏｕ０００２．ｊｐｇ」が消去され、ファイル名「ｋａｎｓｈｉｇａｚｏｕ５５５８．ｊｐｇ」となる映像を撮影する前に、その時点で最も古い事前設定ディレクトリＡ内の最も古いファイル「ｋａｎｓｈｉｇａｚｏｕ０００３．ｊｐｇ」が消去される。これにより、各映像をファイルとして追い番形式で順次事前設定ディレクトリＢへ記録する直前において、その都度記録領域が確保されていることとなる。
【００６２】
上述したように構成したので、本実施の形態では、事前設定ディレクトリＢ内に追い番形式で映像のファイルを順次保存していき、追い番の最高値となる「ｋａｎｓｈｉｇａｚｏｕ９９９９．ｊｐｇ」が保存される際、事前設定ディレクトリＡ内のファイルは、追い番で「ｋａｎｓｈｉｇａｚｏｕ０００１．ｊｐｇ」から「ｋａｎｓｈｉｇａｚｏｕ４４４４．ｊｐｇ」までの各ファイルが消去され、残りの「ｋａｎｓｈｉｇａｚｏｕ４４４５．ｊｐｇ」から「ｋａｎｓｈｉｇａｚｏｕ９９９９．ｊｐｇ」までのファイルが、消去されずに残っている状態となる。すなわち、事前設定ディレクトリＡ内に追い番形式における後半の一部のファイルが残り、事前設定ディレクトリＢ内には「ｋａｎｓｈｉｇａｚｏｕ０００１．ｊｐｇ」から「ｋａｎｓｈｉｇａｚｏｕ９９９９．ｊｐｇ」までの全ファイルが残っている状態となる。
【００６３】
そして、上述したように、事前設定ディレクトリＢに追い番形式における最高値である「ｋａｎｓｈｉｇａｚｏｕ９９９９．ｊｐｇ」が保存されると、次の映像のファイルは事前設定ディレクトリＢの次のディレクトリとなる事前設定ディレクトリＣに保存される。
【００６４】
この事前設定ディレクトリＣに最初に保存されるファイルには、「ｋａｎｓｈｉｇａｚｏｕ０００１．ｊｐｇ」というファイル名が付される。すなわち、ファイル名は再度元に戻る。なお、このファイル名「ｋａｎｓｈｉｇａｚｏｕ０００１．ｊｐｇ」となる映像のファイルを、事前設定ディレクトリＣに保存する場合、上述した事前設定ディレクトリＢに「ｋａｎｓｈｉｇａｚｏｕ５５５６．ｊｐｇ」以降のファイルを保存する際と同様、保存されている映像のうち少なくとも最も古い時刻に形成された事前設定ディレクトリ内であってかつその中の最も古い時刻に名付けられた追い番を有するファイルを消去する。すなわち、具体的には、上述したように事前設定ディレクトリＡ内に保存されているファイルの中で最も古い「ｋａｎｓｈｉｇａｚｏｕ４４４５．ｊｐｇ」が消去される。
【００６５】
この後、同様にして、次に撮影された映像のファイルは、ファイル名「ｋａｎｓｈｉｇａｚｏｕ０００２．ｊｐｇ」として、事前設定ディレクトリＣに保存され、続いて撮影された映像のファイルは、ファイル名「ｋａｎｓｈｉｇａｚｏｕ０００３．ｊｐｇ」として、事前設定ディレクトリＣに保存される。また、同様に、ファイル名「ｋａｎｓｈｉｇａｚｏｕ０００２．ｊｐｇ」となる映像を撮影する前に、その時点で最も古い事前設定ディレクトリＡ内の最も古いファイル「ｋａｎｓｈｉｇａｚｏｕ４４４６．ｊｐｇ」が消去され、さらにファイル名「ｋａｎｓｈｉｇａｚｏｕ０００３．ｊｐｇ」となる映像を撮影する前に、その時点で最も古い事前設定ディレクトリＡ内の最も古いファイル「ｋａｎｓｈｉｇａｚｏｕ４４４７．ｊｐｇ」が消去される。これにより、各映像をファイルとして追い番形式で順次事前設定ディレクトリＣへ記録する直前において、その都度、順序よく記録領域が確保されていることとなる。
【００６６】
そして、事前設定ディレクトリＣ内に追い番形式で映像のファイルを順次保存していき、事前設定ディレクトリＣ内の追い番形式における第５５５５番目のファイルとなる「ｋａｎｓｈｉｇａｚｏｕ５５５５．ｊｐｇ」が保存される際、事前設定ディレクトリＡ内のファイルは、全て消去されていることとなる。すなわち、事前設定ディレクトリＣ内へ「ｋａｎｓｈｉｇａｚｏｕ０００１．ｊｐｇ」から「ｋａｎｓｈｉｇａｚｏｕ５５５５．ｊｐｇ」までファイルをそれぞれ保存していく直前に、各々事前設定ディレクトリＡ内の「ｋａｎｓｈｉｇａｚｏｕ４４４５．ｊｐｇ」から「ｋａｎｓｈｉｇａｚｏｕ９９９９．ｊｐｇ」が全て消去される。
【００６７】
本実施の形態では、このように事前設定ディレクトリ内のファイルが全て消去されると、当該事前設定ディレクトリを削除する。そして、すぐに同じ名称で新規の事前設定ディレクトリを作成する。この新規の事前設定ディレクトリは、削除された元の事前設定ディレクトリとして利用される。すなわち、上述したように、内部のファイルが全て消去された後に事前設定ディレクトリＡが削除され新規の事前設定ディレクトリが生成されると、この新規の事前設定ディレクトリが元の事前設定ディレクトリＡと同様の扱いとして利用される。
【００６８】
そして、事前設定ディレクトリＣに追い番形式における「ｋａｎｓｈｉｇａｚｏｕ５５５５．ｊｐｇ」の次の「ｋａｎｓｈｉｇａｚｏｕ５５５６．ｊｐｇ」が保存される直前には、その時点で保存されている映像のうち最も古い時刻に形成された事前設定ディレクトリＢ内の最も古い時刻に名付けられた追い番を有するファイル「ｋａｎｓｈｉｇａｚｏｕ０００１．ｊｐｇ」が消去される。
【００６９】
この後、同様に、順次撮影された映像のファイルが、追い番形式で事前設定ディレクトリＣに保存されていき、その間事前設定ディレクトリＢ内のファイルは古い順に映像のファイルの記録領域を確保するために消去されていく。そして、順次追い番形式で撮影された映像が保存され、最高値となる「ｋａｎｓｈｉｇａｚｏｕ９９９９．ｊｐｇ」と名付けられたファイルが最後の事前設定ディレクトリＣに保存されると、次の映像は上述したように新規に作成されかつ元の事前設定ディレクトリとして利用される最初の事前設定ディレクトリＡに戻って、「ｋａｎｓｈｉｇａｚｏｕ０００１．ｊｐｇ」というファイル名で保存されることとなる。このとき、事前設定ディレクトリｂでは、「ｋａｎｓｈｉｇａｚｏｕ０００１．ｊｐｇ」から「ｋａｎｓｈｉｇａｚｏｕ４４４４．ｊｐｇ」までのファイルが消去されている。
【００７０】
なお、さらに事前設定ディレクトリＡから次の事前設定ディレクトリＢへファイルの保存を切り換える際、および事前設定ディレクトリＢから次の事前設定ディレクトリＣへファイルの保存を切り換える際も、同様に、最後のファイルが保存される以前に、次の事前設定ディレクトリは消去され同じ名称の新事前設定ディレクトリが生成されている。そして、これを元の事前設定ディレクトリとして使用することとなる。
【００７１】
このように、本実施の形態では、複数の順番付けられた事前設定ディレクトリＡ，Ｂ，Ｃが予め用意され、最初に撮影された映像が最初の事前設定ディレクトリＡに追い番の最初の番号で保存された後、順次追い番形式で撮影された映像が保存されていき、追い番が最高値になると次の事前設定ディレクトリＢを利用して順次ファイルを保存していく。また、途中で半導体メモリ媒体の残存容量が零になっても、古いファイルを順に消去していきながら新しい映像を順次追い番で同じディレクトリに保存していく。そして、最後の事前設定ディレクトリＣの最後の追い番で映像が保存されると、次の映像は最初の事前設定ディレクトリＡ内に最初のファイル名で保存される。このため、作業者がいなくても、カメラ部１で撮影された映像が順次、自動的に半導体メモリ媒体２内へ保存されていく。しかも、古いデータから順に消去されていくため、最新映像に近い必要な映像データを誤って消去してしまうという不具合が発生しない。
【００７２】
なお、上述した実施の形態では、各事前設定ディレクトリＡ，Ｂ，Ｃに容量制限がなされておらず、半導体メモリ媒体２に残存容量があれば、当該ディレクトリ内に追い番の最高値となるまで順次ファイルを保存できるように構成した。しかし、各事前設定ディレクトリＡ，Ｂ，Ｃに容量制限が設定されていても良い。例えば、各事前設定ディレクトリＡ，Ｂ，Ｃは、１０００個分のファイルしか保存できないように容量制限が設定されているように構成しても良い。
【００７３】
その場合、最初に事前設定ディレクトリＡに１０００個のファイルが保存されると、当該事前設定ディレクトリＡの容量が一杯となる。この場合、半導体メモリ媒体２の残存容量自体にはまだ余裕があるものの、最高値が付されたファイルが保存されるまで、その事前設定ディレクトリＡ内の古いファイルを削除する。最高値が付されたファイルの次の映像のファイルは、次の事前設定ディレクトリＢに保存されることとなる。そして、さらに事前設定ディレクトリＢの容量が一杯とな留と、最高値の付されたファイルが保存されるまでの間は新しいファイルが保存される前に、その事前設定ディレクトリＢ内の古いファイルが削除される。最高値が付されたファイルが事前設定ディレクトリｂに保存された後の次の映像のファイルは、次の事前設定ディレクトリＣに保存される。
【００７４】
なお、事前設定ディレクトリＣの残存容量が一杯になった後のファイルの保存に関しても同様に、事前設定ディレクトリＣ内の最古のファイルを当該保存前に消去して新しいファイルの保存スペースを確保しておいてから、追い番形式で事前設定ディレクトリＣ内に新しいファイルの保存を行うようにする。このようにして事前設定ディレクトリＡ，Ｂ，Ｃの容量が満杯になると、次のファイルは事前設定ディレクトリＡ内の最古のファイルを消去した後、事前設定ディレクトリＡ内に保存される。
【００７５】
また、上述の実施の形態のように、事前設定ディレクトリを３つとするのではなく、２つや４つ以上にしても良いが、少なくとも２つのディレクトリを必要とする。また、この２つの事前設定ディレクトリのデータ保存可能容量が異なるように設定されていても良い。すなわち、１つ目の事前設定ディレクトリＡは、追い番の最高値となる９９９９個目のファイルまでを全て保存可能な容量とし、２つ目の事前設定ディレクトリＢは５００個程度しかファイルを保存できないような容量に設定し、かつ追い番の最高値を５００等とするようにしても良い。その場合は、２つ目の事前設定ディレクトリＢへのファイルの保存が容量一杯となる５００個目を終了した時点で、ファイルの保存は事前設定ディレクトリＡに切り換わるようになる。
【００７６】
なお、これらの例の場合も、半導体メモリ媒体２の残存容量が一杯になった後のファイルの保存に関しては、上述した実施の形態と同様、その時点の最古のディレクトリ内の最古のファイルを当該保存前に消去して新しいファイルの保存スペースを確保しておいてから、追い番形式で新しいファイルの保存を行うようにする。
【００７７】
なお、上述の本実施の形態では、最後の事前設定ディレクトリＣ内に最高値の追い番で映像のファイルを保存する以前に、最初の事前設定ディレクトリＡを消去し、新しく最初の事前設定ディレクトリＡを作成するものとしたが、ディレクトリ自体は消去せず、最初の事前設定ディレクトリＡ内の最古のファイルのみを順次消去しながら、元の事前設定ディレクトリＡ内に最新の映像を保存していくようにしても良い。このように構成しても、上述した例と同様、最新映像に近い必要な映像データを誤って消去してしまうという不具合が発生しない。
【００７８】
次に、以上のような構成を有する監視カメラ１０の動作について説明する。
【００７９】
まず、監視カメラ１０の設置に当たり、本体部３の操作手段を操作して、検知範囲角度αを所定のもの（１５度、２０度、３０度、４０度、５０度、６０度のいずれか）に設定する。この設定は、本体部３が接続されるＴＶ５の撮影画像を見ながら行う。
【００８０】
すなわち、この時にはモード切替スイッチ２５によって事前に通常撮影モードに設定しておく。このため、カメラ部１で撮影された画像は、ＡＤコンバータ２１からオンしているスルースイッチ２６を通り、直接にＤＡコンバータ２３に入る。アナログからデジタルへと変換された映像データは、ＤＡコンバータ２３によってデジタルからアナログへと変換され元に戻ることとなり、ＴＶ５から映し出される。この画像を見ながら検知範囲角度αを設定する。この実施の形態では、検知範囲角度αを２０度としている。
【００８１】
次に、制御部２４内のタイマを利用して、昼間と夜間の撮影方法の設定を行う。昼間としては、午前８時半から午後５時の間として設定しているが、他の時間帯を昼間として設定しても良い。その後、モード切替スイッチ２５を利用して監視モードとする。
【００８２】
監視モードでは、センサ１１が来訪者を検知すると、オンした時点でまず１枚の撮影を行う。その画像は、ＡＤコンバータ２１でデジタルデータとされ、その後圧縮伸張手段２２によって圧縮される。圧縮されたデータは、半導体メモリ２内に保存される。なお、各データの生成や移動は、制御部２４の制御によってなされる。
【００８３】
来訪者の来訪時刻が昼間であり、撮影後すぐに屋内に入れば、その１枚の画像のみがその来訪者の来訪時のものとして保存される。なお、その来訪者が検知範囲角度α内に入ったり出たりを繰り返すと、その検知範囲角度α内に入る度に撮影が行われる。
【００８４】
来訪者の来訪時刻が、たとえば午後１１時という夜間であると、最初の１枚に加え、検知範囲角度α内を連続的に動いていると、さらに所定時間間隔での撮影が行われる。これらの撮影画像は、最初の１枚と同様に圧縮されたデジタルデータとして半導体メモリ媒体２に保存される。
【００８５】
モード切替スイッチ２５をスライドさせかつプッシュすると、再生モードとすることができる。再生モードとなると、制御部２４は、半導体メモリ媒体２に保存されている画像データを圧縮伸張手段２２に送り、データを伸張（復号）する。伸張（復号）されたデータは、ＤＡコンバータ２３に入り、ＮＴＳＣ信号のアナログデータに変換され、ＴＶ５から映像として映し出される。なお、半導体メモリ媒体２への映像のデータの保存に関しては、上述したように予め設けられた事前設定ディレクトリＡ，Ｂ，Ｃを利用して追い番形式で順次行われる。
【００８６】
本実施の形態では、制御部２４が次のような判断と動作をも行う。すなわち、センサ１１が来訪者を検知した後、プッシュホン４が一定時間内に操作されないことを制御部２４が判定したときには、図示しないアラーム手段、たとえばブザーを鳴らすようにしている。この構成によって、不審者の侵入を未然に防止することができる。
【００８７】
センサ１１による検知後、プッシュホン４が操作されるまでの一定時間として、本実施の形態では、１分間を採用している。この時間は、監視カメラ１０が設置される場所、季節、時刻によって適宜他の値を採用することができる。一般家庭では３０〜９０秒程度が好ましく、危険性が高い場所では２０〜４０秒程度が好ましい。
【００８８】
なお、半導体メモリ媒体２は、本体部３から取り外し可能であるため、半導体メモリ媒体２に保存されているデータをＴＶ５にて再生するのではなく、パーソナルコンピュータ等他の再生手段にて再生可能である。
【００８９】
上述の実施の形態は、本発明の好適な実施例であるが、本発明の要旨を逸脱しない範囲で種々変更実施可能である。たとえば、上述の実施の形態では、半導体メモリ媒体２内の３つの事前設定ディレクトリＡ，Ｂ，Ｃが、「監視カメラ映像」という名称のディレクトリの下位に存在しているが、半導体メモリ媒体２を監視カメラ１０専用の記録媒体とする場合は、「監視カメラ映像」というディレクトリを設けず、事前設定ディレクトリＡ，Ｂ，Ｃを最上位のディレクトリとしても良い。
【００９０】
また、上述の実施の形態では、カメラ部１を図３に示すような構造としたが、さらに撮影可能な外部温度の領域を拡げるため、カメラ部１に断熱効果を持たせた構造としても良い。この構造について、図６を用いて説明する。なお、説明に当たっては、上述の本実施の形態と同様な部材、装置については、同一の符号を付すと共にその説明を省略または簡略化する。
【００９１】
この監視カメラ６０は、上述の本実施の形態に係る監視カメラ１０と同様な機構のヒータ５１と温度センサ５２とを周囲に有するカメラ機構部９を備えているものである。この監視カメラ６０が上述の監視カメラ１０と異なる主な点は、カメラ機構部９が断熱材としてのフェルト６１で覆われ、そのフェルト６１の周りを枠材６２で囲むようにしている点である。
【００９２】
フェルト６１は、レンズ部１３および配線６３が飛び出る部分を除いて、カメラ機構部９全体を覆うようにされている。ただし、上述したようにＣＣＤカメラの背面部は、熱を持つことが多く、背面部にはフェルト６１を設けないようにしても良い。枠体６２は、前方枠６２ａと後方枠６２ｂとから構成されており、両者はねじ６４で一体化されている。
【００９３】
なお、監視カメラ６０は、そのヒータ５１とする抵抗５３が上面と下面に配置され、温度センサ５２が左右側面に１個ずつ配置される構成となっている。左右側面の一方に配置される温度センサ５２が下側に配置されるヒータ５１のオンオフ制御行い、左右側面の他方に配置される温度センサ５２が上側に配置されるヒータ５１のオンオフ制御を行うようになっている。このように構成すると、より細やかな温度制御が可能となる。
【００９４】
また、この監視カメラ６０のカメラ部１は、防水（防滴）用のケース７１を有するものとなっている。この防水用のケース７１は、上述の監視カメラ１０にも使用され得るもので、レンズ部１３と対向する位置に貫通孔７２が設けられ、その貫通孔７２に樹脂材からなる透明部材が嵌め込まれ、センサ１１と対向する側にも貫通孔７４が設けられ、その貫通孔７４に樹脂材からなる透明部材７５が嵌め込まれているものである。この防水用のケース７１によって監視カメラ６０は、屋外にも配置できることとなる。
【００９５】
上述の本実施の形態では、昼間と夜間の監視カメラ１０の動作を切り換えるように構成したが、特に切り換えず、昼間も夜間も検知範囲角度α内に物（者）が入ってきたときには１枚撮影し、加えて動きが継続される間は、所定時間間隔で撮影するようにしても良い。また、上記の所定間隔を、制御部２４内に保有されるプログラムや本体部３に設けられる操作手段によって、昼間より夜間を短くするようにしても良い。
【００９６】
また、検知範囲角度αを昼間より夜間が大きくなるように設定しても良い。このようにすると、夜間の方が検知回数が多くなり、不審者の撮影を確実に行うことができる。なお、この検知範囲角度αの設定は、制御部２４内のプログラムにて行ったり、本体部３の外部に設けられる操作手段によって行うようにしても良い。
【００９７】
また、昼間と夜間の切り替えをタイマではなく、ｃｄｓ等の照度検知手段をカメラ部１等に配置し、室外や室内の明るさを検知して自動的に昼間と夜間とを切り替えるようにしても良い。また、センサ１１を１つではなく複数配置するようにしても良い。
【００９８】
また、センサ部８をカメラ部１から切り離す構成としても良い。さらには、上述の実施の形態では、レンズ１２の画角β内に検知範囲角度αが納まり、かつβ＞αとなるようにしているが、レンズ１２の画角β内に検知範囲角度αが納まらないようにしても良い。すなわち、センサ１１の向きをレンズ１２の向きとは異なる向き、たとえばそれらの向きが直角関係となるように配置しても良い。また、防犯を重要視するような場合は、β≦αとなるようにしても良い。
【００９９】
上述の実施の形態では、センサ１１の所定範囲となる検知範囲角度αとレンズ１２の画角βの関係を、水平方向と垂直方向（上下方向）の両方向で、β／１．５≧α≧β／６としているが、水平方向だけこの関係となるようにしても良い。
【０１００】
さらに、夜間より昼間の方を、より一層監視したい場合は、昼間の方が夜間より多くの映像が撮れるようにしても良い。すなわち、上述の実施の形態で述べた、夜間と昼間の関係を逆となるようにしても良い。また、上述の実施の形態では、移動体となる物（者）が検知角度範囲α内から外に出ていくときは、撮影しないようになっているが、出ていくときや動作が停止した瞬間、すなわちセンサ１１がオフした瞬間に撮影を行うようにしても良い。このオフの時間の撮影は、オン時の撮影に加えて、またはオン時の撮影に代えて行うようにしても良い。
【０１０１】
また、カメラ部１と本体部３とを有線ではなく無線で接続するようにしたり、センサ１１のみまたは撮影手段のみを無線で本体部３へ接続するようにしても良い。なお、半導体メモリ媒体２としては、フラッシュメモリの他に、ＥＥＰＲＯＭ、ＳＲＡＭ等他の半導体メモリ媒体を採用しても良い。
【０１０２】
また、ヒータ５１としては、たとえばセメント抵抗などの抵抗５３に電流を流すことで形成しているが、カメラ機構部９を電熱ヒータに採用されているニクロム線等でぐるぐる巻きにして全体を温めるようにしても良い。また、監視カメラ１０で示される枠体部５４を金属製とし、その枠体部５４に電流を流すことでヒータの役割をさせるようにしても良い。
【０１０３】
【発明の効果】
本発明の監視カメラならびに半導体メモリ媒体内のファイル管理方法及び追い番方式を利用して半導体メモリ媒体に記録するためのプログラムによれば、撮影対象となる移動体を確実に撮影できると共に、不必要な画像を撮影せず長期間の連続監視を可能とし、かつ新しい映像を自動的にかつ確実に保存でき、さらにディレクトリの管理も容易なものとなる。
【図面の簡単な説明】
【図１】  本発明の実施の形態に係る監視カメラの構成の概略を説明する模式図である。
【図２】  図１の監視カメラの回路構成ブロック図である。
【図３】  図１の監視カメラの構成を詳細に説明するための斜視図である。
【図４】  図１の監視カメラに使用されているセンサの検知範囲角度とレンズの画角との関係を説明する図である。
【図５】  図１の監視カメラ内に配置される半導体メモリ媒体内のファイルの管理方法を説明するための図である。
【図６】  本発明の実施の形態に係る監視カメラの変形例の構成を説明する図である。
【符号の説明】
１  カメラ部
２  半導体メモリ媒体
３  本体部
４  プッシュホン
５  テレビジョン（ＴＶ）
６  コンセント
７  ストロボ（アラーム手段）
８  センサ部
９  カメラ機構部
１０  監視カメラ
１１  センサ
１２  レンズ
１３  レンズ部
２１  ＡＤコンバータ
２２  圧縮伸張手段
２３  ＤＡコンバータ
２４  制御部
２５  モード切替スイッチ
２６  スルースイッチ
５１  ヒータ
５２  温度センサ
５３  抵抗
【図１】
0003943365.tif 000002
【図２】
0003943365.tif 000003
【図３】
0003943365.tif 000004
【図４】
0003943365.tif 000005
【図５】
0003943365.tif 000006
【図６】
0003943365.tif 000007